Podtech/llm-jp-corpus-v4-ja_patent huggingface dataset:
【手続補正書】
【提出日】平成15年12月3日(2003.12.3)
【手続補正１】
【補正対象書類名】明細書
【補正対象項目名】０００５
【補正方法】変更
【補正の内容】
【０００５】
そして、ヌルシンボルであるシンボル０及び同期用のリファレンスシンボルであるシンボル１には同期チャンネルが、シンボル１に続くシンボル２〜シンボル４にはファスト・インフォーメイション・チャンネル（ＦＩＣ）が、さらに、シンボル５〜シンボル７６にはメイン・サービス・チャンネル（ＭＳＣ）が、夫々割当てられる。ＭＳＣは、複数のコモン・インターリーブドゥ・フレーム（ＣＩＦ）の連なりによって構成され、それによって音声情報データ及びサービス情報データが伝送される。また、ＦＩＣは、複数のファスト・インフォーメイション・ブロック（ＦＩＢ）の連なりによって構成されており、さらに、各ＦＩＢは、ＦＩＢデータフィールドとエラー検出用ワードとを含んでおり、各ＦＩＢデータフィールドは、複数のファスト・インフォーメイション・グループ（ＦＩＧ）の連なりによって構成されていて、それにより、多重構成情報（ Multi- plex Configuration information :ＭＣＩ）及びその他の情報等をあらわす制御用情報データが伝送される。


【手続補正２】
【補正対象書類名】明細書
【補正対象項目名】００１０
【補正方法】変更
【補正の内容】
【００１０】
斯かる点に鑑み、本願の特許請求の範囲における請求項１から請求項５までのいずれかに記載された発明は、同期用のリファレンスシンボルを含んだ複数のシンボルから成る伝送フレームが連なるものとされたディジタルデータを伝送するディジタル情報信号を受信し、受信ディジタル情報信号から得られるディジタルデータに基づいて受信ディジタル音声放送信号の周波数オフセットを検出し、検出された周波数オフセットに応じて、受信ディジタル情報信号の周波数オフセットが低減せしめられることになる、受信ディジタル情報信号に対する周波数同期制御を行うにあたり、受信ディジタル情報信号についての周波数同期状態への引込みを迅速に行うことができ、かつ、受信ディジタル情報信号の周波数同期状態を、受信されるディジタル情報信号のフェージング等に起因する変動による悪影響を受け難いものとすることができるディジタル情報信号受信装置を提供する。


【手続補正３】
【補正対象書類名】明細書
【補正対象項目名】００２３
【補正方法】変更
【補正の内容】
【００２３】
同期情報データＤＲＳは、ＦＦＴ差動復調部１８から周波数オフセット検出部２０に供給され、また、制御用情報データＤＣＤは、ＦＦＴ差動復調部１８からビタビ復号部２１に供給され、さらに、複合データＤＸＤは、ＦＦＴ差動復調部１８からタイム・デインターリーブ部２２に供給される。タイム・デインターリーブ部２２においては、複合データＤＸＤを形成する音声情報データに含まれる複数のプログラム情報データのうちの選択されたもの、もしくは、複合データＤＸＤを形成するサービス情報データに含まれる複数のプログラム情報データのうちの選択されたものにタイム・デインターリーブ処理が施される。そして、タイム・デインターリーブ部２２から得られるタイム・デインターリーブ処理が施されたプログラム情報データＤＰＤが、ビタビ復号部２１に供給される。


【手続補正４】
【補正対象書類名】明細書
【補正対象項目名】図１
【補正方法】変更
【補正の内容】
【図１】本願の特許請求の範囲における請求項１から請求項５までのいずれかに記載された発明に係るディジタル情報信号受信装置の一例の要部を示すブロック接続図である。
【手続補正書】
【提出日】平成15年10月23日(2003.10.23)
【手続補正１】
【補正対象書類名】明細書
【補正対象項目名】発明の名称
【補正方法】変更
【補正の内容】
【発明の名称】記録再生装置および記録媒体
【手続補正２】
【補正対象書類名】明細書
【補正対象項目名】特許請求の範囲
【補正方法】変更
【補正の内容】
【特許請求の範囲】
【請求項１】
映像および音声情報を記録媒体に記録および再生する記録再生装置において、
記録時に、前記映像および音声情報から特定の特徴を有する番組のハイライトシーンを検出するハイライトシーン検出手段と、
前記記録媒体への前記ハイライトシーンの記録位置情報を記憶するメモリ手段と、
再生時に、前記メモリ手段の位置情報から前記ハイライトシーンを再生するハイライトシーン再生手段とを有することを特徴とする記録再生装置。
【請求項２】
映像および音声情報を記録媒体に記録および再生する記録再生装置において、
記録時に、前記映像および音声情報から特定の特徴を有する番組のハイライトシーンを検出するハイライトシーン検出手段と、
前記記録媒体への前記ハイライトシーンの記録位置情報を記憶するメモリ手段と、
前記メモリ手段の位置情報を前記記録媒体に記録する位置情報記録手段と、
再生時に、前記記録媒体より前記位置情報記録手段にて記録した位置情報から前記ハイライトシーンを再生するハイライトシーン再生手段とを有することを特徴とする記録再生装置。
【請求項３】
映像および音声情報を記録媒体に記録および再生する記録再生装置において、
記録時に、前記映像および音声情報から特定の特徴を有するコマーシャルメッセージを検出するコマーシャルメッセージ検出手段と、
前記コマーシャルメッセージ検出手段によるコマーシャルメッセージを除いた前記映像および音声情報から特定の特徴を有する番組のハイライトシーンを検出するハイライトシーン検出手段と、
前記記録媒体への前記ハイライトシーンの記録位置情報を記憶するメモリ手段と、
再生時に、前記メモリ手段の位置情報から前記ハイライトシーンを再生するハイライトシーン再生手段とを有することを特徴とする記録再生装置。
【請求項４】
映像および音声情報を記録媒体に記録および再生する記録再生装置において、
記録時に、前記映像および音声情報から特定の特徴を有するコマーシャルメッセージを検出するコマーシャルメッセージ検出手段と、
前記コマーシャルメッセージ検出手段によるコマーシャルメッセージを除いた前記映像および音声情報から特定の特徴を有する番組のハイライトシーンを検出するハイライトシーン検出手段と、
前記記録媒体への前記ハイライトシーンの記録位置情報を記憶するメモリ手段と、
前記メモリ手段の記録位置情報を前記記録媒体に記録する位置情報記録手段と、
再生時に、前記記録媒体より前記位置情報記録手段にて記録した位置情報から前記ハイライトシーンを再生するハイライトシーン再生手段とを有することを特徴とする記録再生装置。
【請求項５】
前記ハイライトシーン検出手段は、音声情報の低周波領域を除去する低周波除去手段と、該低周波除去手段から出力される音声信号レベルと所望のレベルとを比較する音声レベル比較手段とを有することを特徴とする請求項１ないし４のいずれかに記載の記録再生装置。
【請求項６】
前記ハイライトシーン検出手段は、前記映像情報の画面中央付近の文字パターンを抽出することを特徴とする請求項１ないし４のいずれかに記載の記録再生装置。
【請求項７】
前記ハイライトシーン検出手段は、特定周波数の音声信号を抽出する音声抽出手段と、該音声抽出手段で抽出される特定周波数の音声信号のレベルが所望のレベル以上であることを検出する音声レベル検出手段と、該音声レベル検出手段における所望レベル以上の音声信号が所定の時間以上継続することを検出する時間計測手段とを有することを特徴とする請求項１ないし４のいずれかに記載の記録再生装置。
【請求項８】
前記ハイライトシーン検出手段は、映像情報内の物体または背景の動きベクトル量を検出する動きベクトル検出手段と、該動きベクトル検出手段で検出したベクトル量が所望の値以上であることを検出するベクトル量比較手段とを有することを特徴とする請求項１ないし４のいずれかに記載の記録再生装置。
【請求項９】
前記メモリ手段は、前記ハイライトシーン検出手段による検出位置より予め決められた所定の値だけ手前の情報が記録される前記記録媒体の位置情報を記憶することを特徴とする請求項１ないし８のいずれかに記載の記録再生装置。
【請求項１０】
前記ハイライトシーン再生手段は、前記メモリ手段に記憶された位置情報より予め決められた所定の値だけ手前から再生することを特徴とする請求項１ないし８のいずれかに記載の記録再生装置。
【請求項１１】
前記ハイライトシーン検出手段は、複数のレベルで検出され、
前記メモリ手段は、前記複数のレベル情報を含めて記憶し、
前記ハイライトシーン再生手段は、前記複数のレベルから選択して再生できることを特徴とする請求項１ないし１０のいずれかに記載の記録再生装置。
【請求項１２】
前記記録媒体はディスク型の記憶媒体であることを特徴とする請求項１ないし１１のいずれかに記載の記録再生装置。
【請求項１３】
映像および音声情報が記録された記録媒体において、
記録された前記映像および音声情報のうち、特定の特徴を有する番組のハイライトシーンの位置情報が記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、例えばテレビジョン信号等の映像信号、あるいは音声信号を記録し、再生時に記録内容中の主要部分、すなわちハイライトシーンを再生する記録再生装置およびこれに用いられる記録媒体に関する。


【手続補正４】
【補正対象書類名】明細書
【補正対象項目名】０００４
【補正方法】変更
【補正の内容】
【０００４】
本発明の目的は、かかる問題点を解決し、記録内容中の主要部分近傍を再生可能とし、記録内容の把握を確かなものとする、記録再生装置およびこれに用いられる記録媒体を提供することにある。
【手続補正書】
【提出日】平成15年11月10日(2003.11.10)
【手続補正１】
【補正対象書類名】明細書
【補正対象項目名】発明の名称
【補正方法】変更
【補正の内容】
【発明の名称】画像処理装置及び方法、並びにキー信号生成装置及び方法、並びに画像合成装置


【手続補正２】
【補正対象書類名】明細書
【補正対象項目名】特許請求の範囲
【補正方法】変更
【補正の内容】
【特許請求の範囲】
【請求項１】
入力画像から背景色の影響を除去する背景色除去処理を行う画像処理装置において、
上記画像を構成する前景と背景の境界に関する情報と上記入力画像を用いて、前景と背景の境界付近の画素における局所的な背景色を算出する背景色算出手段と、
上記背景色算出手段で算出した背景色に基づいて画像から背景色の影響を除去する背景色除去手段と
を備えることを特徴とする画像処理装置。
【請求項２】
入力画像から背景色の影響を除去するための画像処理方法において、
上記画像を構成する前景と背景の境界に関する情報と上記画像を用いて、前景と背景の境界付近の画素における局所的な背景色を算出し、この背景色に基づいて画像から背景色の影響を除去すること
を特徴とする画像処理方法。
【請求項３】
上記境界に関する情報は、前景だけの領域と、背景だけの領域と、前景と背景が混合した領域を形成するための情報であることを特徴とする請求項２記載の画像処理方法。
【請求項４】
上記境界情報は、パラメータで制御される曲面で表されるキーに関する情報であることを特徴とする請求項２記載の画像処理方法。
【請求項５】
上記境界情報を用いて上記前景と背景の境界付近の画素に対して、前景の輪郭と垂直な方向を算出し、この方向に沿って背景色を算出することを特徴とする請求項４記載の画像処理方法。
【請求項６】
前景と背景からなる画像からキー信号を生成するキー信号生成装置において、
上記前景と上記背景の境界情報を算出する境界情報算出手段と、
上記境界情報算出手段で算出した上記境界情報と上記画像とを用いて上記前景と上記背景の境界付近における局所的な前景色を算出する前景色算出手段と、
上記境界情報算出手段で算出した上記境界情報と上記画像とを用いて上記前景と上記背景の境界付近における局所的な背景色を算出する背景色算出手段と、
上記前景色算出手段で算出した上記前景色と上記背景色算出手段で算出した上記背景色とを用いて上記キー信号を生成するキー信号生成手段と
を備えることを特徴とするキー信号生成装置。
【請求項７】
前景と背景からなる画像から前景のキー信号を生成するキー信号生成方法において、
上記前景と上記背景の境界情報を算出し、この境界情報と上記画像とを用いて、上記前景と上記背景の境界付近における局所的な前景色と背景色とを算出し、これら前景色と背景色とを用いて上記キー信号を生成すること
を特徴とするキー信号生成方法。
【請求項８】
少なくとも前景及び背景からなる第１の画像と、少なくとも背景からなる第２の画像とを受信し、上記第１の画像の前景と上記第２の画像の背景とを合成する画像合成装置において、
上記画像を構成する前景と背景の境界に関する情報と上記画像を用いて、前景と背景の境界付近の画素における局所的な背景色を算出する背景色算出手段と、
上記背景色算出手段で算出した背景色に基づいて画像から背景色の影響を除去する背景色除去手段と
を備えることを特徴とする画像合成装置。
【手続補正３】
【補正対象書類名】明細書
【補正対象項目名】０００１
【補正方法】変更
【補正の内容】
【０００１】
【発明の属する技術分野】
本発明は、入力画像から背景色の影響を除去する画像処理装置及び方法、並びに前景と背景からなる画像からキー信号を生成するキー信号生成装置及び方法、並びに第１の画像の前景と第２の画像の背景とを合成する画像合成装置に関する。


【手続補正４】
【補正対象書類名】明細書
【補正対象項目名】００１９
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】変更
【補正の内容】
【００３６】
【発明の実施の形態】
以下、本発明に係る画像処理装置及び方法、並びにキー信号生成装置及び方法、並びに画像合成装置に関する実施の形態について説明する。


【手続補正１７】
【補正対象書類名】明細書
【補正対象項目名】０１１９
【補正方法】削除
【補正の内容】
【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
複数の図柄を表示するための表示手段と、
遊技域に設けられた始動口に遊技玉が入ったことを検出する始動入賞検出手段と、
該始動入賞検出手段によって前記検出がなされると、乱数を出力する乱数発生手段と、
該乱数発生手段によって出力された乱数の値に基づいて、前記表示手段に表示するための図柄を設定する図柄設定手段と、
前記表示手段に、様々な図柄を表示させ、該表示された各図柄を次々と別の図柄に変更させる変動表示を行なった後、前記図柄設定手段によって設定された前記図柄を表示させるものであって、しかも前記設定された図柄の内、少なくとも１つの図柄については、他の図柄よりも前記変動表示の終了を遅らせる図柄制御手段と、
を備え、前記図柄設定手段によって設定された図柄が、前記表示手段に出力され、しかも該出力された複数の図柄が、予め設定された特定の配列になったときには、入賞確率が変動されるパチンコ機において、
前記少なくとも１つの図柄が表示される前であって、且つ前記他の図柄が既に表示された時点において、該前記他の図柄が前記特定の配列の一部となっているか否かを判定するリーチ判定手段と、
該リーチ判定手段によって、前記他の図柄が前記特定の配列の一部となっていると判定されると、続行されていた前記変動表示から、前記表示手段の列または行毎に輝度を変化させ、図柄が該列または該行の軸回りに回転しているかのように輝度を漸次変化させる輝度制御手段と、
を備えたことを特徴とするパチンコ機。
【手続補正２】
【補正対象書類名】明細書
【補正対象項目名】０００６
【補正方法】変更
【補正の内容】
【０００６】
本発明はかかる課題に鑑みなされたもので、遊技者に、当り態様になりうる状態になったことをより強く喚起することができるパチンコ機を提供することを目的としている。


【手続補正３】
【補正対象書類名】明細書
【補正対象項目名】０００７
【補正方法】変更
【補正の内容】
【０００７】
【課題を解決するための手段】
係る目的を達成するためになされた本発明の請求項１に記載されたパチンコ機は、図１に例示するように、
複数の図柄を表示するための表示手段と、
遊技域に設けられた始動口に遊技玉が入ったことを検出する始動入賞検出手段と、
該始動入賞検出手段によって前記検出がなされると、乱数を出力する乱数発生手段と、
該乱数発生手段によって出力された乱数の値に基づいて、前記表示手段に表示するための図柄を設定する図柄設定手段と、
前記表示手段に、様々な図柄を表示させ、該表示された各図柄を次々と別の図柄に変更させる変動表示を行なった後、前記図柄設定手段によって設定された前記図柄を表示させるものであって、しかも前記設定された図柄の内、少なくとも１つの図柄については、他の図柄よりも前記変動表示の終了を遅らせる図柄制御手段と、
を備え、前記図柄設定手段によって設定された図柄が、前記表示手段に出力され、しかも該出力された複数の図柄が、予め設定された特定の配列になったときには、入賞確率が変動されるパチンコ機において、
前記少なくとも１つの図柄が表示される前であって、且つ前記他の図柄が既に表示された時点において、該前記他の図柄が前記特定の配列の一部となっているか否かを判定するリーチ判定手段と、
該リーチ判定手段によって、前記他の図柄が前記特定の配列の一部となっていると判定されると、続行されていた前記変動表示から、前記表示手段の列または行毎に輝度を変化させ、図柄が該列または該行の軸回りに回転しているかのように輝度を漸次変化させる輝度制御手段と、を備えたことを特徴とする。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】変更
【補正の内容】
【００１２】
そして更に、当該パチンコ機においては、遅れて表示される図柄（甲パターンならば”Ｃ”）が表示される前に、先んじて表示された他の図柄（甲パターンならば”４、５”）が、当り態様の一部となっているか否かをリーチ判定手段が判定し、なっているときには、輝度制御手段が、変動表示が続行されている図柄の輝度を列または行毎に漸次変化させ、その列または行の軸回りに図柄が回転しているかのように見せる。例えば、当該パチンコ機において”４，５，６”が当り態様であるならば、”４，５”は当り態様の一部となっているので、右図柄（変動表示中）の輝度が漸次変化される。つまり、当該パチンコ機によれば、表示手段に出力される複数の図柄の内、先んじて表示される幾つかの図柄（前記表現では「他の図柄」）が、当り態様の一部となっているときには、変動表示中の図柄の輝度が変化される。


【手続補正８】
【補正対象書類名】明細書
【補正対象項目名】００１３
【補正方法】変更
【補正の内容】
【００１３】
従い、請求項１に記載のパチンコ機によれば、表示手段の出力内容が、当り態様になりうるものであるときには、変動表示が継続されている図柄の輝度を変化させるので、遊技者に当り態様になりうる状態になったことをより強く喚起することができる。当り態様の一部となっていない状態にて表示された場合には、輝度を変化させないので、遊技者にいらぬ期待を抱かせることも防止できる。たとえ当該パチンコ機を、複雑な当り態様を有する機種として構成しても、遊技者は全ての当り態様を記憶する必要がなく、輝度が変化されるのを待ちつつ遊技をすれば良い。


【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正書】
【提出日】平成15年7月25日(2003.7.25)
【手続補正１】
【補正対象書類名】明細書
【補正対象項目名】特許請求の範囲
【補正方法】変更
【補正の内容】
【特許請求の範囲】
【請求項１】
第２のフィールドにおいて問題となるピクセルについて、複数のピクセルによって提示されるイメージの第１のフィールドと第２のフィールドの間に動きが生じたか否かをテストする方法であって、
第１のフィールドにおけるピクセル交差対から第２のフィールドにおいて問題となるピクセルのエッジ配向を見つけ出すステップと、
第１のフィールドにおけるピクセル交差対のエッジ配向に基づいて、第２のフィールドにおいて問題となるピクセルの値を予測するステップと、
第二のフィールドにおいて問題となるピクセルの予測値と第二のフィールドにおいて問題となるピクセルの実際の値とを比較するステップと
を備えていることを特徴とする方法。
【請求項２】
第１のフィールドにおけるピクセル交差対のエッジ配向を見つけ出すステップが、｜ｘ（ｋ）−ｙ（―ｋ）｜の最小値を見つけ出すステップを含んでおり、ここで、ｘ（ｋ）が第１の走査線に沿った第１のフィールドにおける位置ｋのピクセル値を表し、ｙ（−ｋ）が第２の走査線に沿った第１のフィールドにおける位置−ｋのピクセル値を表していることを特徴とする、請求項１に記載の方法。
【請求項３】
第２のフィールドにおいて問題となるピクセルの予測値が、ｘ（ｋ）およびｙ（−ｋ）の値の平均に等しく、ここでｋが−Ｎ、・・・、０、・・・Ｎに等しい場合、ｘ（ｋ）およびｙ（−ｋ）は｜ｘ（ｋ）−ｙ（−ｋ）｜の最小値が得られるピクセル交差対の値であることを特徴とする、請求項２に記載の方法。
【請求項４】
第２のフィールドにおけるピクセルの予測値と第２のフィールドにおけるピクセルの実際の値の差を採ることによって、第２のフィールドにおいて予測されるピクセル値と、第２のフィールドにおける実際のピクセル値とが比較されることを特徴とする、請求項１に記載の方法。
【請求項５】
第２のフィールドにおける予測されるピクセル値と第２のフィールドにおける実際のピクセル値との差の絶対値が所定のしきい値未満である場合、第１のフィールドと第２のフィールドの間に動きは生じなかったことになることを特徴とする、請求項１に記載の方法。
【請求項６】
第２のフィールドにおいて問題となるピクセル値が変更されないことを特徴とする、請求項５に記載の方法。
【請求項７】
第２のフィールドにおける予測されるピクセル値と第２のフィールドにおける実際のピクセル値との差の絶対値が所定のしきい値を超えると、第１のフィールドと第２のフィールドの間に動きが生じたということになることを特徴とする、請求項１に記載の方法。
【請求項８】
さらに、第２のフィールドにおける問題となるピクセルのエッジ配向を見つけ出すステップが成功したか否かを判定するステップを備えていることを特徴とする、請求項２に記載の方法。
【請求項９】
ｘ（ｋ）が第１の走査線に沿った第１のフィールドにおける位置ｋのピクセル値を表し、ｙ（−ｋ）が第２の走査線に沿った第１のフィールドにおける位置−ｋのピクセル値を表しており、エッジ配向を見つけ出すステップが成功したか否かを判定するステップが、｜ｘ（ｋ）−ｙ（−ｋ）｜の最小値と所定のしきい値とを比較するステップを含んでおり、｜ｘ（ｋ）−ｙ（−ｋ）｜の最小値が所定のしきい値以下の場合には、エッジ配向の推定が成功したものとみなされ、｜ｘ（ｋ）−ｙ（−ｋ）｜の最小値が所定のしきい値を超える場合には、失敗したとみなされることを特徴とする、請求項８に記載の方法。
【請求項１０】
インターレース走査イメージをプログレッシブ走査イメージに変換する方法において、
第１のフィールドにおけるピクセル交差対から第２のフィールドにおける問題となるピクセルのエッジ配向を見つけ出すステップと、
第１のフィールドにおけるピクセル交差対のエッジ配向に基づいて、第２のフィールドにおいて問題となるピクセルの値を予測するステップと、
第２のフィールドにおいて問題となるピクセルの予測値と第２のフィールドにおいて問題となるピクセルの実際の値とを比較するステップとを備えており、
第２のフィールドにおいて問題となるピクセル値は、問題となるピクセルの予測値と実際の値との差の絶対値が、第１の所定のしきい値未満の場合には変更されず、さらに、第２のフィールドにおいて問題となるピクセル値は、問題となるピクセルの予測値と実際の値との差の絶対値が第１の所定のしきい値を超える場合には、置換されることを特徴とする方法。
【手続補正２】
【補正対象書類名】明細書
【補正対象項目名】０００９
【補正方法】変更
【補正の内容】
【０００９】
【実施例】
図３には、本発明によるビデオ変換システムのブロック図が示されている。ビデオ入力３１０は、一般に、第１のフィールド３１２と第２のフィールド３１４から構成される。以下の説明において、第１のフィールド３１２は、基準フィールドとして指定され、第２のフィールド３１４は、補助フィールドとして指定される。しかし、代替案として、基準フィールドを第２のフィールドと定義し、補助フィールドを第１のフィールドと定義することも可能である。


【手続補正３】
【補正対象書類名】明細書
【補正対象項目名】００２７
【補正方法】変更
【補正の内容】
【００２７】
一般に、図３、４、及び、８に解説のシステム及び方法は、ビデオ・フレームをインターレース・フォーマットからプログレッシヴ・フォーマットに変換するために利用される。しかし、用途によっては、図６に示すフィールド間の動きを判定する方法だけしか必要でない場合もある。例えば、フィールド間における動きの有無を判定するための方法だけしか用いずに、ビデオ・フレームがインターレース・フォーマットで記憶されているか、あるいは、プログレッシヴ・フォーマットで記憶されているかを判定することが可能である。これは、プログレッシヴ・フォーマットで記憶されているビデオ・フレームは、インターレース・フォーマットで記憶されているビデオ・フレームとは対照的に第１のフィールドと第２のフィールドにフィールド間の動きがないという仮定に基づくものである。
【手続補正書】
【提出日】平成15年6月10日(2003.6.10)
【手続補正１】
【補正対象書類名】明細書
【補正対象項目名】０００３
【補正方法】変更
【補正の内容】
【０００３】
単票紙をホッパから１枚づつ給送する方式では、給送路に対して斜めに送られる、いわゆるスキューを起し易い。用紙がスキューした状態で給送されると紙詰まりし易くなり、また用紙の予定位置に印字が行われなくなるなどの不具合が発生する。この対策として、記録する前にスキュー取りが行なわれている。スキュー取りには、停止した搬送ローラに用紙の前端を突き当て、その状態で給紙ローラを短時間回転させる突き当て方式、搬送ローラに食いつかせ、給紙ローラを停止させた状態で搬送ローラを逆転させて吐き出しをする食い付き吐出し方式などがある。一方、ユーザによって切断面のバラツキが存在するためスキュー取りをするとその端面に揃ってしまうので、ロール紙はロール紙供給部から巻き解いたロール紙をホッパのエッジガイドで規制して給送する。その為、スキューが起こり難くなるので、スキュー取り動作を省いて頭出し（用紙先端の記録ヘッドに対する位置決め）が行われている。
【手続補正２】
【補正対象書類名】明細書
【補正対象項目名】００２２
【補正方法】変更
【補正の内容】
【００２２】
図５において、給紙指令により給紙が開始されると、先ず給紙装置ＡＳＦの動作確認を行った後（ＡＳＦ  Ｐｒｅｓｅｔ  Ｒｏｕｔｉｎｅ）（ステップ２００）、図４に示す給送された用紙の検知を行う（Ｔｏｐ  ｏｆ  Ｐａｐｅｒ  Ｄｅｔｅｃｔ  Ｒｏｕｔｉｎｅ）（ステップ２０１）。続いて、次に実行すべき処理を判断し（ステップ２０２）、“再給紙”の場合はステップ２００へ移る。また、給紙ローラ２が２回転する間に給紙を行う“Ｒｅｔｒｙ”の場合はリトライルーチン（Ｒｅｔｒｙ  Ｒｏｕｔｉｎｅ）（ステップ２０３）へ移る。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
耐水性支持体上に無機微粒子を含有する多孔質のインク受容層を有するインクジェット記録材料において、インク受容層にジシアンジアミド系樹脂の少なくとも１つを含有することを特徴とするインクジェット記録材料。
【請求項２】
前記インク受容層が更に水溶性金属化合物を含有する請求項１に記載のインクジェット記録材料。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
原紙の両面をポリオレフィン樹脂で被覆された支持体上に気相法シリカを含有するインク受容層が塗設されてなるインクジェット用記録材料において、前記支持体のインク受容層塗設面の反対面が、型付けによりＪＩＳ−Ｂ−０６０１で規定される十点平均粗さＲｚが基準長さ８ｍｍの条件で１２〜４０μｍであることを特徴とするインクジェット用記録材料。
【請求項２】
前記ポリオレフィン樹脂で被覆された支持体のインク受容層塗設面の反対面が、型付けによりＪＩＳ−Ｂ−０６０１で規定される基準長さ８ｍｍの条件で測定された断面曲線の山が１０個以上であり、山の部分を横切る平均線の長さの総和Ｘと谷の部分を横切る平均線の長さの総和Ｙとの比Ｘ／Ｙが１／１０〜３／１であることを特徴とする請求項１記載のインクジェット用記録材料。
【請求項３】
前記ポリオレフィン樹脂で被覆された支持体のインク受容層塗設面の反対面にバインダーを主体とする裏塗り層を固形分で１００〜５００ｍｇ／ｍ2塗設することを特徴とする請求項１または２に記載のインクジェット用記録材料。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
耐水性支持体上に無機微粒子を含有するインク受容層を有するインクジェット記録材料において、インク受容層が無機微粒子に対して４０重量％以下のバインダーを含有し、且つチオエーテル化合物の少なくとも１つを含有することを特徴とするインクジェット記録材料。
【請求項２】
前記インク受容層が更にカチオン性化合物を含有する請求項１に記載のインクジェット記録材料。
【手続補正書】
【提出日】平成15年12月18日(2003.12.18)
【手続補正１】
【補正対象書類名】明細書
【補正対象項目名】０００２
【補正方法】変更
【補正の内容】
【０００２】
【従来の技術】
従来のインク噴射式印刷装置の斜視図を図１３に示す。１Ａはインク収納部で例えばインクを収納するプラスチック製の交換可能なインクカ−トリッジをプラスチック製のカ−トリッジホルダが内臓するようになっている。１Ｃは駆動部で例えばピエゾ素子で構成されている。１Ｂはインク流路で前記インク収納部１Ａから前記インクを前記駆動部１Ｃに供給する例えばプラスチック製の前記インクの供給路である。１Ｄは前記駆動部１Ｃに連結する前記インクを吐出させるための例えば金属製のノズルである。１Ｅは前記駆動部１Ｃの壁面の両側に蒸着された例えばアルミニウム製の電極である。１Ｆは外部回路で、該外部回路が有する記憶媒体に記憶させた制御プログラムが該外部回路の有するＣＰＵを作動させ、図示しない外部電源からの電圧を制御した制御電圧を前記電極１Ｅに与えることにより、前記駆動部１Ｃの前記電極１Ｅが両面に蒸着しているピエゾ壁、例えば図１３の斜線部、を規則的に変形させて前記インクを前記ノズル１Ｄから吐出させる圧力を前記駆動部１Ｃ内に発生させる働きをし、これら一連の動作を駆動及び制御する。
【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
ドアパネルＰのベルトラインＢＬ上方部位にクリップ４ｂとこれに併設するシール材６とにより取付けられる自動車用ウエザーストリップにおいて、棒状基材４ａに複数個のクリップ４ｂを所定間隔で一体的に植設した硬質合成樹脂製のクリップ植設部材４を上記ウエザーストリップ１の取付基部１ａに設けた溝孔３に埋込んで組付けてなることを特徴とする自動車用ウェザーストリップ。
【請求項２】
上記溝孔３をウェザーストリップ１の取付基部１ａのソリッド部分に設けたことを特徴とする請求項１記載の自動車用ウェザーストリップ。
【請求項３】
棒状基材４ａにズレ防止用凸部４ｃを突設してなることを特徴とする請求項１又は２記載の自動車用ウェザーストリップ。
【請求項４】
棒状部材４ａが断面エ字状に形成され、また取付基部１ａのソリッド部分の溝孔３が断面Ｔ字状に形成されて、クリップ植設部材４を上記溝孔３の端部より差し込み組み付けるようにしたことを特徴とする請求項１〜３のいずれかの請求項に記載の自動車用ウェザーストリップ。
【手続補正２】
【補正対象書類名】明細書
【補正対象項目名】０００４
【補正方法】変更
【補正の内容】
【０００４】
【課題を解決するための手段】
かゝる目的を達成するために本発明の自動車用ウェザーストリップは、図１及び図４に示すように、ドアパネルＰのベルトラインＢＬ上方部位にクリップ４ｂとこれに併設するシール材６とにより取付けられるウエザーストリップ１において、棒状基材４ａに複数個のクリップ４ｂを所定間隔で一体的に植設した硬質合成樹脂製のクリップ植設部材４を上記ウエザーストリップ１の取付基部１ａに設けた溝孔３に埋込んで組付けて成るものであり、また、上記ウェザーストリップにおける上記溝孔３をウェザーストリップ１の取付基部１ａのソリッド部分に設けたものである。また更に別の自動車用ウェザーストリップは、上記ウェザーストリップの棒状基材４ａにズレ防止用凸部４ｃを突設してなるものであり、更に別の自動車用ウェザーストリップは、棒状部材４ａが断面エ字状に形成され、また取付基部１ａのソリッド部分の溝孔３が断面Ｔ字状に形成されて、クリップ植設部材４を上記溝孔３の端部より差し込み組み付けるようにしたものである。
【手続補正３】
【補正対象書類名】明細書
【補正対象項目名】０００７
【補正方法】変更
【補正の内容】
【０００７】
【発明の効果】
以上説明したように本発明の自動車用ウエザーストリップは、取付基部に設けた溝孔に、硬質合成樹脂製のクリップ植設部材を埋込み組付けたものであるから、従来と異なり、クリップのピッチが常に一定となり、また取付基部とドアパネルとの接合部が、常に凹凸のないきれいな取付面となり、シール材による止水効果も向上する。また、複数のクリップを一体化した上記クリップ植設部材の使用によりドアパネルの湾曲部や異なる車種等広範囲の適用が可能となる。
【手続補正書】
【提出日】平成14年4月6日(2002.4.6)
【手続補正１】
【補正対象書類名】明細書
【補正対象項目名】請求項１
【補正方法】変更
【補正の内容】
【請求項１】
クランクシャフトのクランク作動によりシリンダーに篏合したピストンの上下動とカムチェーン駆動ギヤを回動しカムチェーンを介しカムシャフト駆動ギヤと前記カムチェーン駆動ギヤの減速比を１：２に設定して連動し、この駆動ギヤに基端を軸着したカムシャフトに混合気吸気バルブ駆動カムと排気バルブ駆動カムとを夫々枢着し、このカム駆動により吸、排気バルブが作動するエンジンであって、前記カムシャフトに混合気吸気バルブ駆動カムと共に同一軸線回りにエアー吸気バルブ駆動カムを軸着し、エアークリーナー及びキャブレターと連結したエアー吸気管１３並びにキャブレターに篏着したマニホールドと並列してエアークリーナーに篏着したエアー吸気管１３‘を併設し、前記混合気吸気バルブ駆動カムの回転と連動して混合気吸気バルブが開・閉弁作動する一方、前記エアー吸気バルブ駆動カムの回転と連動してエアー吸気バルブを開・閉弁作動するのと呼応して排気側カムシャフトに凹部を有し扇状の態様を呈する排気バルブ駆動カムを取付け、このカムの回転と連動して排気バルブが開・閉作動するようカムチェーン駆動ギヤとカムシャフト駆動ギヤの減速比を１：３としたシックスストロークエンジンの構造。
【手続補正２】
【補正対象書類名】明細書
【補正対象項目名】０００４
【補正方法】変更
【補正の内容】
【０００４】本発明は、上述従来の問題点に鑑みてなされたもので、エアー吸気管を混合気吸気管と併設することでエアーを吸気しそれを排気することにより燃焼室内に残留した排気ガスを一旦掃気させ燃焼効率の良い低燃費のエンジンを提供することを目的としている。


【手続補正３】
【補正対象書類名】明細書
【補正対象項目名】０００５
【補正方法】変更
【補正の内容】
【０００５】
【課題を解決するための手段】上記目的を達成するために従来の４ストロークエンジンではカムチエーン駆動ギヤとカムシャフト駆動ギヤの減速比が１：２であるのに対し、本発明のエンジンに於ては減速比を１：３としカムシャフトに混合気吸気バルブ駆動カムと共に同一軸線回りにエアー吸気バルブ駆動カムを取付け、キャブレター及びエアークリーナーに夫々嵌着した吸気管に混合気吸気管及びエアー吸気管を併設し混合気吸気バルブ駆動カムの回転と連動して混合気吸気バルブを開、閉作動するようにすると共に、排気側カムシャフトに凹部を有し扇形状とした排気バルブ駆動カムを取付け排気バルブの開、閉作動するようにしたものである。


【手続補正４】
【補正対象書類名】明細書
【補正対象項目名】０００８
【補正方法】変更
【補正の内容】
【０００８】
【実施例】実施例について図面を参照して説明すると、図１において、シリンダー１の上部にはシリンダーヘッド２６が重合結着される。シリンダーヘッド２６にはシリンダー１内のピストン２上部の燃焼室２２と、燃焼室２２に開口する吸気管１２、１３′及び排気管８とが形成されており、これらは各バルブ１４、１５及び７により開閉される。前記バルブ１４、１５、７はシリンダーヘッド２６に図示しないバルブガイドを介して昇降自在に支承され、カムシャフト５、９に一体的に装着し、同一軸回りに回転するカム６、１０、１１により駆動される。


【手続補正５】
【補正対象書類名】明細書
【補正対象項目名】０００９
【補正方法】変更
【補正の内容】
【０００９】ところで、シリンダー１内を昇降作動するピストン２は、図示しない機関本体に設けたスターターモーターの駆動によりモーターシャフトに軸着されたクランクシャフト１６が連動回転し、このクランクシャフト１６に軸着されたコネクチングロッド１８のクランク作動により行なわれる一方、前記クランクシャフトに装着したカムチエーン駆動ギヤはカムチエーンと噛み合うよう形成されているのでクランクシャフトの回転動作と同期してカムチエーン駆動ギヤ１７が駆動しカムチエーン３の連動を介してカムシャフト駆動ギヤ４ａ、４ｂが夫々駆動する構造のものでその減速比が１：２であることは既に知られている。


【手続補正６】
【補正対象書類名】明細書
【補正対象項目名】００１３
【補正方法】変更
【補正の内容】
【００１３】而して、カムシャフト駆動ギヤ４ａ、４ｂの回転と連動してカムシャフト５、９が作動し混合気吸気バルブ駆動カム１０の当接面イが混合気吸気バルブ１４へ当接し下降することでマニホールド１２が開弁し燃焼室２２内へ混合気が吸気後閉弁する。続いて、コネクチングロッド１８のクランク作動により上昇した（ａ）ピストン２が燃焼室２２内の混合気を圧縮し（図２ａ、ｂ）点火プラグ２０の点火により強力な爆発力が生じピストン２は下降し（ｂ）、続いてピストン２の上昇（ａ）と共に排気バルブ７に排気バルブ駆動カム６の当接面口が当接し開弁することで排気が行なわれる（図３ａ、ｂ）。然し乍ら、排気の際、ピストン２の上面（ａ）はシリンダーヘッド２６部分に物理的に届がず完全なる排気は行なわれず燃焼効率は悪い。排気後の排気バルブ７の開弁作動と同期してエアー吸気バルブ１５へエアー吸気バルブ駆動カム１１の当接面ハが当接し開弁することで燃焼室２２へエアーが吸気され、吸気後閉弁と同時に排気バルブと排気バルブ駆動カム６の当接面二が当接、再び排気バルブの開弁とピストン２の上昇に伴い、残留ガスの残滓はほぼ完全に排気管８を介し排気が行なわれる（図４ａ、ｂ）。


【手続補正７】
【補正対象書類名】図面
【補正対象項目名】全図
【補正方法】変更
【補正の内容】
【図１】
1996296450.tif 000001
【図２】
1996296450.tif 000002
【図３】
1996296450.tif 000003
【図４】
1996296450.tif 000004
【図５】
1996296450.tif 000005
【手続補正書】
【提出日】平成16年1月28日(2004.1.28)
【手続補正１】
【補正対象書類名】明細書
【補正対象項目名】０００１
【補正方法】変更
【補正の内容】
【０００１】
【発明の属する技術分野】
本発明は、直流電力を交流電力に変換する電力変換装置に関する。


【手続補正２】
【補正対象書類名】明細書
【補正対象項目名】００１８
【補正方法】変更
【補正の内容】
【００１８】
本発明の目的は、三相出力の電力変換装置の構成を流用し、高周波の単相負荷にも対応できるようにした電力変換装置を提供することである。


【手続補正３】
【補正対象書類名】明細書
【補正対象項目名】００４８
【補正方法】変更
【補正の内容】
【００４８】
【発明の効果】
本発明によれば、主スイッチング素子の１サイクル内でのパルス数の２倍のパルス数の単相交流出力を得ることができるので、三相出力用のインバータ主回路を流用して、商用周波数よりも高い周波数の単相交流出力を得ることができる。


【手続補正４】
【補正対象書類名】明細書
【補正対象項目名】００４９
【補正方法】変更
【補正の内容】
【００４９】
また、本発明によれば、定電流特性を持たせることができるので、非接触供給システムにも安定して適用できる電力変換装置を提供することもできる。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
アルカリ可溶性樹脂、キノンジアジドスルフォン酸エステル感光剤およびアルカリ可溶性低分子化合物を含有するポジ型フォトレジスト組成物において、キノンジアジドスルフォン酸エステル感光剤が
（Ａ）下記一般式［Ｉ］で表されるフェノール性水酸基を３〜６個有するフェノール性低分子化合物のキノンジアジドのジエステル体、および
（Ｂ）下記一般式［II］又は［III-１］〜［III-３］で表されるキノンジアジドの完全エステル体を含有し、
２５４ｎｍの紫外線を使用した検出器を用いて測定した高速液体クロマトグラフィーにおいて、感光剤の全パターン面積に対する該（Ａ）のジエステル体のパターン面積の面積比が２５％以上５０％未満であり、かつ該（Ｂ）の完全エステル体の面積比が３％以上６０％以下であることを特徴とするポジ型フォトレジスト組成物。
一般式［Ｉ］
【化１】
1999160866.tif 000001
（Ｒ1 〜Ｒ4 ：同一でも異なってもよく、水素原子、ハロゲン原子、アルキル基、シクロアルキル基、アルケニル基、アルコキシ基、アリール基、アシル基を表し、
Ｒ5、Ｒ6：同一でも異なっていてもよく、水素原子、ハロゲン原子、アルキル基、シクロアルキル基、アルケニル基、アルコキシ基、アリール基を表し、また、ｍが２以上の時、複数のＲ5又はＲ6の各々は同一でも異なっていてもよい、
Ｒ7：ハロゲン原子、アルキル基、シクロアルキル基、アルケニル基、アルコキシ基、アリール基を表し、また、ｍが２以上の時複数のＲ7 の各々は同一でも異なっていてもよい、
Ａ：同一でも異なっていてもよく、単結合、−Ｏ−、−Ｓ−、−ＳＯ−、−ＳＯ2−、−ＣＯ−、−ＣＯ2−、−Ｃ（Ｒ8）（Ｒ9）−、−Ｎ（Ｒ10）−、−Ｎ（Ｒ10）ＳＯ2−の単一あるいはこれらを複数組み合わせた基を表し、
Ｒ8、Ｒ9：同一でも異なっていてもよく、水素原子、アルキル基、アリール基、ハロゲン原子を表し、また、Ｒ8とＲ9は互いに結合してシクロアルキル基を形成しても良い、
Ｒ10：水素原子、アルキル基を表し、
ｍ：１〜４の整数）
一般式［II］
【化２】
1999160866.tif 000002
（Ｒ11〜Ｒ12：同一でも異なってもよく、−ＯＱ（Ｑは下記のナフトキノンジアジド−５−（及び／又は−４−）スルフォニル基）を表し、
【化３】
1999160866.tif 000003
Ｒ13〜Ｒ17：同一でも異なってもよく、水素原子、アルキル基、アリール基、アラルキル基、アルコキシ基、アリールオキシ基、アラルキルオキシ基、アシル基、アシロキシ基、ハロゲン、ニトロ基、シアノ基、シクロヘキシル基、もしくは−ＯＱ（Ｑは前記と同義である）を表し、
Ｒ18〜Ｒ21：同一でも異なってもよく、アルキル基、アリール基、アラルキル基、アルコキシ基、アシロキシ基、シクロヘキシル基を表す。
但し、式［II］中Ｑの個数は２個以上６個未満である。）
一般式［III-１］〜［III-３］
【化４】
1999160866.tif 000004
（Ｑ：前記と同義である、
Ｒ22：同一でも異なっていてもよく、水素原子、ハロゲン原子、アルキル基、シクロアルキル基、アルケニル基、アリール基、アラルキル基、アルコキシ基、アシル基、アルコキシカルボニル基、アシロキシ基を表し、
Ｒ23：同一でも異なっていてもよく、水素原子、アルキル基を表し、
ｘ：１〜３の整数を表し
ｙ：１〜６の整数を表す。）
【請求項２】
ジエステル体パターン面積の全パターン面積に対する面積比が２５％以上４０％未満であることを特徴とする請求項１記載のポジ型フォトレジスト組成物。
【請求項３】
請求項１又は２に記載のポジ型フォトレジスト組成物によりレジスト膜を形成し、該レジスト膜を露光、現像することを特徴とするポジ型パターン形成方法。
【手続補正書】
【提出日】平成15年8月8日(2003.8.8)
【手続補正１】
【補正対象書類名】明細書
【補正対象項目名】請求項２
【補正方法】変更
【補正の内容】
【請求項２】
評価すべき膜質は特性むらであり、
評価すべき膜はＣｏを含む複合酸化物からなり、
波長が５６０ｎｍ近傍の反射率Ｒ（５６０）に対する波長が７８０ｎｍ近傍の反射率Ｒ（７８０）の比Ｑ＝Ｒ（７８０）／Ｒ（５６０）を判別パラメータとして演算で求め、
この比Ｑを予め定めたしきい値と比較して特性むらを評価することを特徴とする請求項１に記載の測色計を用いた膜質評価方法。
【手続補正２】
【補正対象書類名】明細書
【補正対象項目名】請求項４
【補正方法】変更
【補正の内容】
【請求項４】
連続した帯状ガラス板の搬送ライン上にコーティング手段を設け、
このコーティング手段の下流側に光源と反射検出装置と分光反射率計とからなる測色計を設け、
この測色計の分光反射率計に、検出した分光反射率のデータからコーティングした膜の膜質の判別パラメータを演算するための演算処置装置を接続し、
前記反射検出装置は、光源からの光を光ファイバーを通してガラス膜面に照射しその反射光を検出して光ファイバーを通して前記分光反射率計に送る検出子を有し、
この検出子を支持する支持台は、前記検出子をガラス膜面に対し一定の間隔および姿勢に保つことを特徴とする測色計を用いた膜質評価装置。
【手続補正書】
【提出日】平成15年8月26日(2003.8.26)
【手続補正１】
【補正対象書類名】明細書
【補正対象項目名】００３９
【補正方法】変更
【補正の内容】
【００３９】
続いて、液相エピタキシャル法により、膜厚約５μｍのニオブ酸リチウム単結晶薄膜５を形成して、周期状反転部４からの分極パターンの転写を行った。
図３（ｂ）に示す分極軸２２と基板表面の法線２３とのなす角θの値に応じた、分極境界壁７ａ及び７ｂ、または１７ａ及び１７ｂのなす角度αの値と、強誘電体単結晶薄膜５への転写パターン周期ｔの最小値ｔminの値とを表１に示した
。